(57)【要約】【課題】血液検査装置の姿勢によっては、血液センサの排出時において血液で筐体を汚すことがあった。【解決手段】筐体２２と、この筐体２２の一方に設けられた穿刺部２４と、この穿刺部２４に対向して設けられたレーザ穿刺ユニット２５と、穿刺部２４に装着されるセンサ２３と、穿刺部２４に設けられるとともにセンサ２３と接続するコネクタ２４ｃと、このコネクタ２４ｃに接続された電気回路部２８と、この電気回路部２８に接続された表示部３３と、センサ２３を排出する排出手段３０とを備え、筐体２２の姿勢を検知する姿勢検知部３１を設け、この姿勢検知部３１からの出力に基づいて、センサ２３の排出の許可或いは禁止を表示部３３に表示するものである。これにより、所期の目的を達成することができる。【選択図】図１
2010063576.tif 000002
【特許請求の範囲】
【請求項１】
筐体と、この筐体の一方に設けられた穿刺部と、この穿刺部に対向して設けられた穿刺手段と、前記穿刺部に装着される血液センサと、前記穿刺部に設けられるとともに前記血液センサと接続するコネクタと、このコネクタに接続された電気回路部と、この電気回路部に接続された表示部と、前記血液センサを排出する排出手段とを備え、前記筐体の姿勢を検知する姿勢検知部を設け、この姿勢検知部からの出力に基づいて、前記血液センサの排出の許可或いは禁止を前記表示部に表示する血液検査装置。
【請求項２】
排出手段による血液センサの排出の許可或いは禁止を制御するロック部を設け、前記血液センサの排出禁止時には前記ロック部により前記血液センサの排出を禁止するとともに、前記血液センサの排出許可時には前記ロック部により前記血液センサの排出を許可する請求項１に記載の血液検査装置。
【請求項３】
姿勢検知部は、加速度センサ或いはジャイロセンサで構成された請求項２に記載の血液検査装置。
【請求項４】
姿勢検知部に接続された判別部と、この判別部に接続された制御部を設け、前記姿勢検知部からの出力に基づいて、血液センサの排出が可能な姿勢か否かを前記判別部で判別し、この判別部からの出力に基づいて前記制御部で排出手段を制御する請求項３に記載の血液検査装置。
【請求項５】
排出可能な姿勢を設定する判別値設定部を設け、この判別値設定部が判別部に接続された請求項４に記載の血液検査装置。
【請求項６】
姿勢検知部は、筒体と、この筒体内を滑動自在に設けられた錘とで構成された請求項２に記載の血液検査装置。
【請求項７】
ロック部は、支点で回動自在に回動するロック部材で形成し、このロック部材の一方で錘の摺動を検知するとともに、他方では排出手段の動作を制御する請求項６に記載の血液検査装置。
【請求項８】
姿勢検知部は、筐体に装着された振り子で構成された請求項２に記載の血液検査装置。
【請求項９】
姿勢検知部に接続された判別部と、この判別部に接続された制御部を設け、前記判別部は、支点で回動自在に回動するとともに振り子の位置を検知する検知部材と、この検知部材の位置を検知する検知センサとからなり、前記検知センサからの出力で前記制御部を介してロック部により排出手段の動作を制御する請求項８に記載の血液検査装置。
【請求項１０】
錘に連動して移動する押ボタンを設け、姿勢検知部の出力に基づいて血液センサの排出が許可されたときには前記押ボタンが筐体から突出するとともに、前記姿勢検知部の出力に基づいて前記血液センサの排出が禁止されたときには前記押ボタンが筐体の表面と同一面、或いは前記筐体の表面から陥没する請求項６に記載の血液検査装置。
【請求項１１】
押ボタンの押圧動作に機構的に連結して血液センサを排出させ請求項１０に記載の血液検査装置。
【発明の詳細な説明】
【技術分野】
【０００１】
本発明は血液検査装置に係り、更に詳しくは前記血液検査装置の姿勢に関するものである。
【背景技術】
【０００２】
以下、従来の血液検査装置について説明する。従来の血液検査装置１は、図２１に示すように、略直方体形状をした筐体２と、この筐体２の一方に設けられた穿刺部３と、この穿刺部３に対向して設けられた穿刺手段４と、この穿刺手段４を起動する穿刺ボタン４ａと、血液センサ（以下センサという）５が積層収納されたセンサカートリッジ６と、このセンサカートリッジ６からセンサ５を一枚ずつ穿刺部３へ搬送する搬送手段７と、穿刺部３に設けられるとともにセンサ５と当接するコネクタ３ａと、このコネクタ３ａに接続された電気回路部８と、この電気回路部８に接続された表示部９（図２３参照）と、穿刺部３へ搬送されたセンサ５を排出する排出手段１０とから構成されていた。
【０００３】
以上のように構成された血液検査装置１の動作について以下説明する。先ず、センサカートリッジ６内の一番下のセンサ５を搬送手段７で穿刺部３にセットする。次に、皮膚１１を穿刺部３に当接し、穿刺ボタン４ａを押下する。穿刺ボタン４ａを押下すると穿刺手段４により皮膚１１が穿刺される。穿刺された皮膚１１からは血液１２が滲出する。この血液１２は、センサ５に取り込まれ、このセンサ５内で試薬と反応して化学変化を生ずる。この化学変化を電気回路部８で測定し、その結果を表示部９に表示する。
【０００４】
測定が終了したら、図２２に示すように、排出手段１０を構成する排出ボタン１０ａを指１３で押下する。排出ボタン１０ａを押下すると、排出手段１０を構成する押し出し部１０ｂによりセンサ５が外部に排出される。
【０００５】
なお、この出願の発明に関連する先行技術文献情報としては、例えば、特許文献１が知られている。
【特許文献１】特開２００４−４０４６号公報
【発明の開示】
【発明が解決しようとする課題】
【０００６】
しかしながらこのような従来の血液検査装置１では、図２３に示すように穿刺部３を上方に向けたまま、指１３で排出ボタン１０ａ押下すると、排出されたセンサ５は筐体２上に落下することになる。このときセンサ５に供給された血液１２が筐体２に付着して筐体２を汚すことになる。筐体２が血液１２で汚されると美観を損なうばかりか不衛生になるという問題があった。
【０００７】
そこで本発明は、このような問題を解決したもので、血液で筐体を汚さない血液検査装置を提供することを目的としたものである。
【課題を解決するための手段】
【０００８】
この目的を達成するために本発明の血液検査装置は、筐体の姿勢を検知する姿勢検知部を設け、この姿勢検知部からの出力に基づいて、血液センサの排出の許可或いは禁止を表示部に表示するものである。これにより、所期の目的を達成することができる。
【発明の効果】
【０００９】
以上のように本発明によれば、筐体の姿勢を検知する姿勢検知部を設け、この姿勢検知部からの出力に基づいて、血液センサの排出の許可或いは禁止を表示部に表示するものであり、血液センサ排出の許可或いは禁止が表示部に表示されるので、患者はこの表示部の指示に従って血液センサを排出することができる。従って、誤った姿勢で血液センサを排出して筐体を血液で汚すことはない。
【発明を実施するための最良の形態】
【００１０】
（実施の形態１）
図１は、本実施の形態における血液検査装置２１の断面図である。図１において、２２は直方体形状をした筐体であり、樹脂で成形されている。この筐体２２の下辺２２ａの角部には、血液センサ（以下センサという）２３が装着される穿刺部２４が設けられている。この穿刺部２４に対向してレーザ穿刺ユニット（穿刺手段の一例として用いた）２５が装着されている。また、穿刺部２４とレーザ穿刺ユニット２５に隣接して並列にセンサカートリッジ２６が挿抜自在に挿入されている。
【００１１】
レーザ穿刺ユニット２５の上方には負圧手段２７が設けられており、この負圧手段２７の上方には電気回路部２８が設けられている。また、この電気回路部２８と筐体２２の上辺２２ｂとの間には挿抜自在な電池２９が挿入されている。
【００１２】
３０は、排出手段であり、この排出手段３０の上方には、排出ボタン３０ａが一体的に形成されている。この排出ボタン３０ａは筐体２２の上辺２２ｂの角に露出している。また、この排出手段３０の下方は、穿刺部２４に装着されたセンサ２３を押し出す押し出し部３０ｂが連結されている。３０ｃは、排出手段３０の移動を係止する凹部である。３０ｄは排出手段３０を上方へ付勢するバネである。
【００１３】
３１は、筐体２２が水平に対してどのような姿勢かを検出する姿勢検知部であり、この姿勢検知部３１の出力はロック部３２を制御する。即ち、このロック部３２から突出するロック棒３２ａを排出手段３０に形成された凹部３０ｃと係合することにより、排出手段３０の移動を禁止する。本実施の形態におけるロック部３２はマグネットで構成されている。
【００１４】
図２は、血液検査装置２１の外観斜視図である。筐体２２の前面には、液晶で形成された表示部３３が設けられており、その下辺２２ａの角には穿刺部２４が設けられている。また、上辺２２ｂの角には排出ボタン３０ａが露出している。また、この上辺２２ｂには穿刺ボタン２５ｊが設けられている。
【００１５】
以下、各部について詳細に説明する。図１に戻って、穿刺部２４は上ホルダ２４ａと下ホルダ２４ｂとで構成されており、この上ホルダ２４ａと下ホルダ２４ｂとの間にセンサ２３が挟まれて固定される。上ホルダ２４ａにはセンサ２３に形成された接続電極（図示せず）に当接するコネクタ２４ｃが設けられており、このコネクタ２４ｃは電気回路部２８に接続されている。
【００１６】
電気回路部２８は、電池２９から電力が供給されており、この電気回路部２８の出力は表示部３３に接続されている。電気回路部２８は、センサ２３からの信号に基づいて血液１２の血糖値を測定し、その値を表示部３３に表示する。
【００１７】
２６は、センサカートリッジであり、このセンサカートリッジ２６は樹脂で形成されるとともに略直方体形状をしている。このセンサカートリッジ２６のケース２６ｋ内にはセンサ２３が積層収納されるセンサ収納室２６ａと、このセンサ収納室２６ａと並列に設けられるとともに乾燥剤２６ｂが収納される乾燥剤収納室２６ｃと、この乾燥剤収納室２６ｃの下方に設けられるとともに、センサ２３を搬送する搬送手段２６ｄとから構成されている。
【００１８】
搬送手段２６ｄは、スライドプレート２６ｆと、このスライドプレート２６ｆを矢印１９ａ方向（出口２６ｅの反対側）へ付勢するバネ２６ｇとで構成されている。スライドプレート２６ｆは、センサ収納室２６ａ内に積層収納されたセンサ２３の中、一番下のセンサ２３を穿刺部２４へ搬送するものである。センサ２３の搬送が完了したらスライドプレート２６ｆは、バネ２６ｇの力で元の位置（初期状態）に戻る。
【００１９】
図３は、排出手段３０を構成する押し出し部３０ｂと、その周辺の要部斜視図である。図３(ａ)は、穿刺部２４に装着されたセンサ２３の押し出し（排出）前の斜視図である。押し出し部３０ｂの先端は、下方に向かって傾斜した傾斜面３０ｄを形成しており、この傾斜面３０ｄがセンサ２３の後端２３ｂに当接するように配置されている。
【００２０】
センサ２３の排出は、図３（ｂ）に示すように、排出ボタン３０ａの押下により、押し出し部３０ｂが矢印１９ｂ方向に下がる。そうすると、傾斜面３０ｄがセンサ２３の後端２３ｂを水平方向に移動させ、センサ２３を穿刺部２４から押し出すことになる。即ち、センサ２３が血液検査装置２１から廃棄される。
【００２１】
図４は、穿刺部２４と、その近傍の断面図である。穿刺部２４は、上ホルダ２４ａと下ホルダ２４ｂとで構成されている。この穿刺部２４へは、センサ収納室２６ａに積層収納されたセンサ２３の内、一番下のセンサ２３が搬送されて、上ホルダ２４ａと下ホルダ２４ｂとの間に挟まれて固定される。
【００２２】
穿刺部２４の一方側は、センサカートリッジ２６の出口２６ｅに連結しており、上ホルダ２４ａの他方側にはコネクタ２４ｃが装着されている。このコネクタ２４ｃは、穿刺部２４にセットされたセンサ２３の接続電極５１ａ〜５５ａ，５７ａ（図８参照）と当接する位置に設けられている。
【００２３】
上ホルダ２４ａの下面には、センサ２３の位置決め孔４６（図７〜９参照）に嵌合する位置決め凸部２４ｄが形成されており、この位置決め凸部２４ｄは、センサ２３の位置決め孔４６と嵌合してセンサ２３を定位置に位置決めする。
【００２４】
上ホルダ２４ａの略中央には貫通孔２４ｆが設けられている。この貫通孔２４ｆの上面は、透明（レーザ光２５ｈを通過させる）のフィルム２４ｇで封鎖されている。この貫通孔２４ｆには、負圧手段２７から負圧路２７ａが連結されており、貫通孔２４ｆ内に負圧を加えることができる。
【００２５】
下ホルダ２４ｂは、バネ２４ｈで上方へ付勢されている。下ホルダ２４ｂの略中央にも貫通孔２４ｊが形成されている。この貫通孔２４ｊと、センサ２３の貯留部４４と、上ホルダ２４ａに形成された貫通孔２４ｆとは一直線上に形成されており、この内部をレーザ光２５ｈが貫通して皮膚１１を穿刺するものである。皮膚１１が穿刺されると、皮膚１１からは血液１２が滲出し、この血液１２はセンサ２３の貯留部４４に取り込まれる。
【００２６】
２７ｂは、穿刺部２４の横側面を形成する筐体２２に設けられた皮膚検知センサであり、この皮膚検知センサ２７ｂは、皮膚１１の当接を検知するものである。
【００２７】
図５は、姿勢検知部３１とその周辺の要部ブロック図である。図５において、筐体２２の水平面に対する姿勢を検知する姿勢検知部３１の出力は、電気回路部２８内の判別部２８ｍに接続されており、この判別部２８ｍの出力は制御部２８ｊに接続されている。制御部２８ｊの出力は表示部３３と、ロック部３２に接続されており、このロック部３２の出力は排出手段３０を制御する。また、この排出手段３０は排出ボタン３０ａと機構的に連結している。なお、判別部２８ｍには、判別値を設定する判別値設定部２８ｎが接続されている。
【００２８】
以上のように構成された姿勢検知部３１とその周辺の動作を説明する。先ず、姿勢検知部３１では、筐体２２の水平面に対する姿勢が検知される。この姿勢検知部３１の出力は、この姿勢でのセンサ２３の排出が妥当であるか否かを判別部２８ｍで判別する。即ち、この姿勢においてセンサ２３を排出するとセンサ２３に付着した血液１２が筐体２２に付着する可能性が在るか否かを判別する。
【００２９】
判別の結果、センサ２３に付着した血液１２が筐体２２に付着する可能性が在る姿勢の場合には、センサ２３の排出を禁止する信号を制御部２８ｊに送る。これに対して、血液１２が筐体２２に付着する可能性が無い姿勢の場合には、センサ２３の排出を許可する信号を制御部２８ｊに送る。なお、判別値設定部２８ｎにより、どの姿勢レベルまでを禁止とし、どの姿勢レベルから許可するかの設定値を可変することができる。
【００３０】
制御部２８ｊでは、血液１２が筐体２２に付着する可能性が在る姿勢の場合には、排出禁止の旨を表示部３３に表示するとともに、ロック部３２を駆動して排出手段３０の動き（排出動作）を禁止する。従って、この状態において、排出ボタン３０ａを押下してもセンサ２３は排出されない。
【００３１】
制御部２８ｊで、血液１２が筐体２２に付着する可能性が無い姿勢の場合には、排出許可の旨を表示部３３に表示するとともに、ロック部３２を駆動して排出手段３０の動き（排出動作）を許可する。従って、この状態において、排出ボタン３０ａを押下するとセンサ２３が排出される。
【００３２】
以上のように、筐体２２の姿勢により、血液１２の付着したセンサ２３の排出が禁止されたり、許可されたりするので、血液１２が筐体２２に付着して汚すことは無く、血液検査装置２１は清潔に保たれる。
【００３３】
図６は、筐体２２に内蔵されるとともに、加速度センサで構成された姿勢検知部３１の姿勢とその出力の関係を示した状態側面図である。３０ａは、筐体２２の上方に配置された排出ボタンであり、大矢印３６ａは、筐体２２の下辺２２ａ方向を示す。また、矢印３６ｂは、センサ２３の排出方向を示す。
【００３４】
図６（ａ）は、水平面に対して筐体２２が垂直になっており、且つ、排出ボタン３０ａが上方に位置している場合であり、姿勢検知部３１からは、「−１」の出力が得られる。この場合、センサ２３が矢印３６ｂ方向に排出されたとしても、センサ２３に付着した血液１２が筐体２２に付着する可能性は無いので、センサ２３の排出は許可される。
【００３５】
図６（ｂ）は、水平面に対して筐体２２が４５度の斜め方向に傾いている場合である。この場合、姿勢検知部３１からは、「−√２分の１」の出力が得られる。この場合も、センサ２３が矢印３６ｂ方向に排出されたとしても、センサ２３に付着した血液１２が筐体２２に付着する可能性は無いので、センサ２３の排出は許可される。
【００３６】
図６（ｃ）は、水平面に対して筐体２２が水平になっている場合であり水平面と平行である。この場合、姿勢検知部３１から出力は得られない。即ち、出力は「０」である。この場合、センサ２３が矢印３６ｂ方向に排出されると、センサ２３に付着した血液１２が筐体２２に付着する可能性があるので、センサ２３の排出は禁止される。
【００３７】
図６（ｄ）は、水平面に対して筐体２２が１３５度の斜め方向に傾いている場合である。この場合、姿勢検知部３１からは、「＋√２分の１」の出力が得られる。この場合も、センサ２３が矢印３６ｂ方向に排出されると、センサ２３に付着した血液１２が筐体２２に付着する可能性があるので、センサ２３の排出は禁止される。
【００３８】
図６（ｅ）は、水平面に対して筐体２２が１８０度傾いている場合であり、筐体２２が逆方向になっている。この場合、姿勢検知部３１からは、「＋１」の出力が得られる。この場合も、センサ２３が矢印３６ｂ方向に排出されると、センサ２３に付着した血液１２が筐体２２に付着する可能性があるので、センサ２３の排出は禁止される。
【００３９】
以上説明したように、筐体２２内に固定して設けられた姿勢検知部３１の姿勢により、排出手段３０による血液１２が付着したセンサ２３の排出が制御される。従って、筐体２２が血液１２で汚されること無い。なお、姿勢検知部３１から出力される信号レベルのうち、どこまでの信号レベルを許可（或いは禁止）するかは、判別値設定部２８ｎで自由に設定することができる。
【００４０】
なお、本実施の形態においては、姿勢検知部３１として加速度センサを用いたが、これは加速度センサに限ることはなく、例えばジャイロセンサのように姿勢を検知できているものであれば、それを用いることができる。
【００４１】
図７は、センサカートリッジ２６に積層収納されるセンサ２３の断面図である。このセンサ２３は、基板４１と、この基板４１の上面に貼り合わされたスペーサ４２と、このスペーサ４２の上面に貼り合わされたカバー４３とで構成されている。
【００４２】
４４は、血液１２（図４参照）の貯留部であり、この貯留部４４は、基板４１の略中央に形成された基板孔４１ａと、この基板孔４１ａに対応してスペーサ４２に形成されたスペーサ孔４２ａと、基板孔４１ａに対応してカバー４３に形成されたカバー孔４３ａとが連通して形成されている。また、４６は、センサ２３の穿刺部２４への装着位置を決める位置決め孔であり、センサ２３を貫通して設けられている。この位置決め孔４６は、上ホルダ２４ａに形成された位置決め凸部２４ｄ（図４参照）と嵌合して位置決めされる。
【００４３】
４５は、この貯留部４４に一方の端が連結された血液１２の供給路であり、貯留部４４に溜められた血液１２を毛細管現象で一気に検出部４７へ導く路である。また、この供給路４５の他方の端は空気孔４８に連結している。貯留部４４の容積は０．９０４μＬであり、供給路４５の容積は０．１４４μＬとしている。このように少量の血液１２で検査可能とし、患者への負担を軽減している。
【００４４】
５０は、検出部４７上に載置された試薬である。この試薬５０は、０．０１〜２．０ｗｔ％ＣＭＣ水溶液に、ＰＱＱ−ＧＤＨを０．１〜５．０Ｕ／センサ、フェリシアン化カリウムを１０〜２００ｍＭ、マルチトールを１〜５０ｍＭ、タウリンを２０〜２００ｍＭ添加して融解させて試薬溶液を調整し、これを基板４１に形成された検出電極５１，５３（図８参照）上に滴下し、乾燥させることで形成したものである。この試薬５０は吸湿すると性能の劣化が進行する。この劣化を防止するため、センサカートリッジ２６内には乾燥剤２６ｂを格納している。
【００４５】
ここで、基板４１の上面には金、白金、パラジウム等を材料として、スパッタリング法或いは蒸着法により導電層を形成し、これをレーザ加工により検出電極５１〜５５（図８参照）と、この検出電極５１〜５５から夫々導出された接続電極５１ａ〜５５ａと識別電極５７ａが一体的に形成されている。
【００４６】
また、基板４１、スペーサ４２、カバー４３の材質は共にポリエチレンテレフタート（ＰＥＴ）を用いている。材料の共用化を図ることにより、管理コストの低減を図っている。
図８は、センサ２３の透視平面図であり、一方の端には、接続電極５１ａ〜５５ａと、識別電極５７ａが形成されている。接続電極５３ａと識別電極５７ａとの間に、導電体パターンで形成された識別部５７が形成されている。
【００４７】
４４は、センサ２３の略中央に設けられた血液１２の貯留部であり、この貯留部４４に一方の端が接続された供給路４５が検出電極５２に向かって設けられている。そして、この供給路４５の他方の端は空気孔４８に連結している。この供給路４５上には、貯留部４４から順次接続電極５４ａに接続された検出電極５４と、接続電極５５ａに接続された検出電極５５と、再度接続電極５４ａに接続された検出電極５４と、接続電極５３ａに接続された検出電極５３と、接続電極５１ａに接続された検出電極５１と、再度接続電極５３ａに接続された検出電極５３と、接続電極５２ａに接続された検出電極５２が設けられている。また、検出電極５１，５３上には、試薬５０（図７参照）が載置される。
【００４８】
接続電極５３ａと識別電極５７ａ間の電気的な導通があるか無いかで、センサ２３が穿刺部２４に装着されたか否かを識別することができる。即ち、このセンサ２３を穿刺部２４に搬送したとき、接続電極５３ａと識別電極５７ａ間の電気的な導通を検知することにより、センサ２３が正しく穿刺部２４に装着されたか否かを検知することができる。若し電気的な導通がなければ、センサ２３が穿刺部２４に装着されていない訳である。この場合は、血液検査装置２１の表示部３３（図２、図１１参照）へ警告表示することができる。
また、識別部５７の電気抵抗値を変えることにより、使用する検量線の情報を格納したり、製造情報を格納したりすることが可能となる。従って、これらの情報を用いて、より精密な血液検査を行なうことができる。
【００４９】
図９は、センサ２３の斜視図である。このセンサ２３は長方形状をした板体で形成されている。この板体の略中央には貯留部４４が形成されており、一方の端には接続電極５１ａ〜５５ａと識別電極５７ａが形成されている。また、他方の端近傍には位置決め孔４６が形成されている。この位置決め孔４６は、貯留部４４側が狭まった台形をしている。この位置決め孔４６と貯留部４４との間に空気孔４８が形成されている。
【００５０】
図１０、レーザ穿刺ユニット２５の断面図である。レーザ穿刺ユニット２５は、発振チューブ２５ａと、この発振チューブ２５ａに連結された筒体２５ｂとで構成されている。発振チューブ２５ａ内には、Ｅｒ：ＹＡＧ（イットリウム・アルミニウム・ガーネット）レーザ結晶２５ｃとフラッシュ光源２５ｄ（光源の一例）が格納されている。発振チューブ２５ａの一方の端には透過率約１％の部分透過鏡２５ｅが装着されており、他方の端には全反射鏡２５ｆが装着されている。部分透過鏡２５ｅの前方の筒体２５ｂ内には凸レンズ２５ｇが装着されており、レーザ光２５ｈで患者の皮膚下に焦点を結ぶように設定されている。
【００５１】
以上のように構成されたレーザ穿刺ユニット２５について、以下にその動作を説明する。穿刺ボタン２５ｊ（図２、図１１参照）を押下する。そうすると、高電圧発生回路２８ｈ（図１１参照）が駆動し、フラッシュ光源２５ｄが励起される。このフラッシュ光源２５ｄから放射された光は、Ｅｒ：ＹＡＧレーザ結晶２５ｃ内に入り、ここで、全反射鏡２５ｆとＹＡＧレーザ結晶２５ｃと部分透過鏡２５ｅの間を反射して共振するとともに増幅される。この増幅されたレーザ光の一部は誘導放出により部分透過鏡２５ｅを通過する。この部分透過鏡２５ｅを通過したレーザ光２５ｈはレンズ２５ｇを透過して放射され、皮膚１１下で焦点を結ぶ。穿刺する深さは、皮膚１１から０．１ｍｍ〜１．５ｍｍが適しており、本実施の形態では０．５ｍｍとしている。
【００５２】
本実施の形態では、患者の皮膚１１へ非接触で穿刺できるレーザ穿刺ユニット２５を用いているので、可動部品は無く故障は少ない。なお、このレーザ光２５ｈでの穿刺電圧は、約３００Ｖとしている。従って、患者に与える苦痛は少ない。
【００５３】
図１１は、電気回路部２８とその周辺のブロック図である。図１１において、センサ２３の接続電極５１ａ〜５５ａ、識別電極５７ａ（図８参照）は、上ホルダ２４ａに設けられたコネクタ２４ｃを介して夫々切換回路２８ａに接続されている。この切換回路２８ａの出力は、電流／電圧変換器２８ｂの入力に接続されている。そして、その出力はアナログ／デジタル変換器（以後、Ａ／Ｄ変換器という）２８ｃを介して演算部２８ｄの入力に接続されている。この演算部２８ｄの出力は、液晶で形成された表示部３３と送信部２８ｅに接続されている。また、切換回路２８ａには基準電圧源２８ｆが接続されている。なお、この基準電圧源２８ｆはグランド電位であっても良い。
【００５４】
２８ｇは制御部であり、この制御部２８ｊの出力は、レーザ穿刺ユニット２５に接続された高電圧発生回路２８ｈと、切換回路２８ａの制御端子と、演算部２８ｄと、送信部２８ｅと、負圧手段２７と、排出手段３０をロックするロック部３２に接続されている。また、制御部２８ｊの入力には、レーザ光２５ｈを発射させる穿刺ボタン２５ｊと、皮膚検知センサ２７ｂと、タイマ２８ｋと，姿勢検知部３１及び判別値設定部２８ｎとが接続された判別部２８ｍが接続されている。
【００５５】
以下、血糖値の測定動作を説明する。先ず、穿刺ボタン２５ｊを押下して、レーザ穿刺ユニット２５で皮膚１１を穿刺する。そして、この穿刺により滲出した血液１２の性質を測定する。血液１２の性質を測定する測定動作では、切換回路２８ａを切換えて、検出電極５１（図８参照）を電流／電圧変換器２８ｂに接続する。また、血液１２流入を検知するための検知極となる検出電極５２を基準電圧源２８ｆに接続する。そして、検出電極５１及び検出電極５２間に一定の電圧を印加する。この状態において、血液１２が流入すると、検出電極５１，５２間に電流が流れる。この電流は、電流／電圧変換器２８ｂによって電圧に変換され、その電圧値はＡ／Ｄ変換器２８ｃによってデジタル値に変換される。そして、演算部２８ｄに向かって出力される。演算部２８ｄはそのデジタル値に基づいて血液１２が十分に流入したことを検出する。なお、この時点で負圧手段２７の動作をオフにする。
【００５６】
次に、血液成分であるグルコースの測定が行なわれる。グルコース成分量の測定は、先ず、制御部２８ｊの指令により、切換回路２８ａを切換えて、グルコース成分量の測定のための作用極となる検出電極５１を電流／電圧変換器２８ｂに接続する。また、グルコース成分量の測定のための対極となる検出電極５３を基準電圧源２８ｆに接続する。
【００５７】
なお、血液中のグルコースとその酸化還元酵素とを一定時間反応させる間は、電流／電圧変換器２８ｂ及び基準電圧源２８ｆをオフにしておく。そして、一定時間（１〜１０秒）の経過後に、制御部２８ｊの指令により、検出電極５１と５３間に一定の電圧（０．２〜０．５Ｖ）を印加する。そうすると、検出電極５１，５３間に電流が流れる。この電流は電流／電圧変換器２８ｂによって電圧に変換され、その電圧値はＡ／Ｄ変換器２８ｃによってデジタル値に変換される。そして、演算部２８ｄに向かって出力される。演算部２８ｄではそのデジタル値を基にグルコース成分量に換算する。
【００５８】
グルコース成分量の測定後、Ｈｃｔ値の測定が行なわれる。Ｈｃｔ値の測定は次のように行なわれる。先ず、制御部２８ｊからの指令により切換回路２８ａを切換える。そして、Ｈｃｔ値の測定のための作用極となる検出電極５５を電流／電圧変換器２８ｂに接続する。また、Ｈｃｔ値の測定のための対極となる検出電極５１を基準電圧源２８ｆに接続する。
【００５９】
次に、制御部２８ｊの指令により、電流／電圧変換器２８ｂ及び基準電圧源２８ｆから検出電極５５と５１間に一定の電圧（２Ｖ〜３Ｖ）を印加する。検出電極５５と５１間に流れる電流は、電流／電圧変換器２８ｂによって電圧に変換され、その電圧値はＡ／Ｄ変換器２８ｃによってデジタル値に変換される。そして演算部２８ｄに向かって出力される。演算部２８ｄはそのデジタル値に基づいてＨｃｔ値に換算する。
【００６０】
この測定で得られたＨｃｔ値とグルコース成分量を用い、予め求めておいた検量線または検量線テーブルを参照して、グルコース成分量をＨｃｔ値で補正し、その補正された結果を表示部３３に表示する。また、補正された結果は送信部２８ｅからインスリンを注射する注射装置に向けて送信する。
【００６１】
以上、グルコースの測定を例に説明したが、センサ２３の試薬５０を交換して、グルコースの測定の他に乳酸値やコレステロールの血液成分の測定にも適用できる。
【００６２】
姿勢検知部３１による筐体２２の姿勢に応じて、排出手段３０を制御するロック部３２の動作は先に図５で説明したので、ここでの説明は省略する。
【００６３】
次に、図１２を用いて血液検査装置２１の検査方法を説明する。先ずステップ６１では、搬送手段２６ｄを構成するスライドプレート２６ｆをセンサカートリッジ２６の出口２６ｅ方向に移動させる。このことにより、積層収納されたセンサ２３の内、一番下のセンサ２３を穿刺部２４へ搬送することができる。この搬送の確認は、センサ２３の接続電極５３ａ（図８参照）と識別電極５７ａの導通を検知することにより行う。その後、スライドプレート２６ｆはバネ２６ｇの力で待機状態に戻る。
【００６４】
なお、ステップ６１において、センサ２３を搬送した後、接続電極５３ａと識別電極５７ａ間の導通を確認して、センサカートリッジ２６内にセンサ２３が在るか無いかを確認し、表示部３３に表示することができる。この確認の結果、センサ２３が無い場合は新しいセンサカートリッジ２６と交換する。
【００６５】
次に、ステップ６２に移行する。ステップ６２では、血液検査装置２１を患者の皮膚１１に当接させる。この皮膚１１への当接は皮膚検知センサ２７ｂの出力で行う。皮膚１１への当接が確認されたらステップ６３に移行し、負圧手段２７を動作させて穿刺部２４に負圧を加える。負圧を加えることにより皮膚１１は盛り上がる。
【００６６】
負圧手段２７の動作に伴う電流の変化、或いはタイマ２８ｋにより予め定められた時間が経過すると、下ホルダ２４ｂに当接した皮膚１１が負圧により十分盛り上がったと判断し、ステップ６４に移行する。ステップ６４では、表示部３３に穿刺可である旨の表示をする。そして、ステップ６５に移行し、穿刺ボタン２５ｊの押下を待つ。なお、この穿刺は自動的に行うこともできる。自動的に行う場合、穿刺タイミングを表示部３３に表示するか、或いは音で患者に警告して知らせることが望ましい。
【００６７】
穿刺ボタン２５ｊが押下されるとステップ６６に移行する。ステップ６６では、ロック部３２により排出手段３０をロックして、センサ２３の排出を禁止する。そして、ステップ６７に移行する。
【００６８】
ステップ６７では、ステップ６４で行った表示部３３への表示をオフする。そして、ステップ６８へ移行する。ステップ６８では皮膚１１の穿刺により、滲出した血液１２がセンサ２３の貯留部４４に取り込まれる。この貯留部４４に取り込まれた血液１２は、供給路４５による毛細管現象により一気に（定まった流速で）検出部４７に取り込まれる。そして、血液１２の血糖値が測定される。
【００６９】
ステップ６８で血糖値が測定されたら、ステップ６９に移行し、負圧手段２７をオフする。そして、ステップ７０に移行する。ステップ７０では、測定した血糖値を表示部３３に表示する。なお、負圧手段２７のオフは、血液１２が検出電極５２へ到達した時点でオフにしても良い。
【００７０】
これで、血液１２の測定は終了し、ステップ７１へ移行する。ステップ７１では、姿勢検知部３１により、筐体２２の姿勢を検知する。そして、ステップ７２へ移行する。ステップ７２において、筐体２２から使用済みのセンサ２３を排出したとしても、血液１２が筐体２２に付着しない姿勢であるか否かを判定する。血液１２が筐体２２に付着しない姿勢の場合は、ステップ７３へ移行する。ステップ７３では、ロック部３２により排出手段３０のロックを解除するとともに、表示部３３へセンサ２３の排出許可の旨の表示をし、ステップ７４へ移行する。
【００７１】
ステップ７４では、排出ボタン３０ａの押下を待つ。ステップ７４において、排出ボタン３０ａが押下されるとステップ７５へ移行し、使用済みのセンサ２３は筐体２２外へ排出される。このセンサ２３の排出時において。筐体２２の姿勢は保証されているので、排出されたセンサ２３に付着した血液１２で筐体２２を汚すこと無い。
【００７２】
ステップ７２において、筐体２２から使用済みのセンサ２３を排出すると、筐体２２に血液１２が付着する可能性がある姿勢の場合はステップ７６へ移行する。ステップ７６では、ロック部３２により排出手段３０の動作をロック（禁止）し、ステップ７７へ移行する。ステップ７７では、表示部３３へセンサ２３の排出を禁止する旨の警告表示をし、ステップ７１へ戻る。そして、筐体２２の姿勢を検知し排出可能な姿勢になるまで待つ。
【００７３】
また、ステップ７４では、排出ボタン３０ａが押下されない場合はステップ７１へ戻り、筐体２２の姿勢を検知し排出可能な姿勢を確認した上で排出ボタン３０ａの押下を待つ。
以上、説明したように、ステップ６６において、血液１２が付着したセンサ２３の排出を先ず禁止して、その後、ステップ７１において筐体２２の姿勢検知をしてからセンサ２３の廃棄許可或いは禁止を決定して、排出手段３０を制御するので、筐体２２へ血液１２が付着して汚すことは無い。
【００７４】
また、ステップ６５における穿刺は、貯留部４４を貫通（図８参照）して行われるので、滲出した血液１２のほとんど全てが貯留部４４に溜まり血液検査に用いられる。従って、滲出した血液１２が無駄なく用いられ患者にかける負担は最小のものとなる。
【００７５】
（実施の形態２）
図１３は、実施の形態２における血液検査装置８１の断面図である。この血液検査装置８１は、姿勢検知部とロック部が機構的に構成されている点で実施の形態１と相違する。本実施の形態では、この相違点について詳しく説明する。なお、実施の形態１と同様のものには同符号を付して説明を簡略化している。これは、以降の実施の形態においても同様とする。
【００７６】
図１３は、血液検査装置８１の断面図であり、この血液検査装置８１は、姿勢検知部８２と、この姿勢検知部８２と一体的に構成されたロック部８３が筐体２２内に装着されている。姿勢検知部８２は、筒体８２ａ内を重力方向に摺動自在の錘８２ｂが挿入されたものである。また、ロック部８３は、図１３、１４に示すように、支点８３ｂで回動自在に設けられたロック部材８３ａで形成されている。このロック部材８３ａの一方には凸部８３ｃ（実施の形態１におけるロック棒３２ａに該当）が形成されており、排出手段３０に設けられた凹部３０ｃへ嵌入可能に設けられている。また、ロック部材８３ａの凸部８３ｃ側は、バネ８３ｄで凹部３０ｃ側へ付勢されている。ロック部材８３ａの他方８３ｅ側は摺動する錘８２ｂに当接し、錘８２ｂとの間で滑動自在に設けられている。
【００７７】
即ち、錘８２ｂが筒体８２ａの一方８２ｃ側にあるときは、ロック部材８３ａの他方８３ｅ側は錘８２ｂで押されるので、凸部８３ｃは凹部３０ｃから離脱して、排出手段３０のロックは解除される。従って、排出ボタン３０ａを押下することにより、排出手段３０は移動し、押し出し部３０ｂでセンサ２３を穿刺部２４から押し出して排出する。このときのロック部材８３ａを図１４では実線で示している。
【００７８】
また、錘８２ｂが筒体８２ａの他方８２ｄ側にあるときは、筒体８２ａの一方８２ｃ側には空間８２ｆが形成される。従って、ロック部材８３ａの一方側はバネ８３ｄで付勢されているので、凸部８３ｃは凹部３０ｃへ嵌入する。即ち、排出手段３０はロックされる。この状態では、排出ボタン３０ａを押下しても、排出手段３０は移動せず、押し出し部３０ｂでセンサ２３を押し出して排出することはできない。このときのロック部材８３ａを図１４では点線で示している。
【００７９】
このように、本実施の形態における姿勢検知部８２とロック部８３とは全て機構的に形成されているので、省電力化を図ることができるとともに、簡単な構成で実現することができる。
【００８０】
８４は、ロック部材８３ａの動きを検知するセンサである。このセンサ８４は、ロック部材８３ａに形成された凸部８３ｃが排出手段３０に形成された凹部３０ｃに嵌入しているときオンとなり、凸部８３ｃが凹部３０ｃから離脱したときオフとなる（図１４参照）。
このセンサ８４は、発光ダイオードと受光トランジスタとで構成された光学的なセンサを用いている。このセンサ８４の出力は、判別部（実施の形態１における判別部２８ｍに該当）の出力として、電気回路部８５（実施の形態１における電気回路部２８に該当）の制御部２８ｊの入力へ接続されている。制御部２８ｊでは、センサ８４の出力に基づいて排出手段３０による排出が許可されているか、否かを表示部３３へ表示する。なお、本実施の形態における電気回路部８５においては、電気回路で形成されたロック部３２と判別値設定部２８ｎは無い。
【００８１】
図１５は、血液検査装置８１の各姿勢における断面図である。図１５（ａ）は、血液検査装置８１がロック時の姿勢における断面図である。即ち、血液検査装置８１の穿刺部２４を上方に向けた場合を示している。この場合錘８２ｂは、重力により筒体８２ａ内の他方８２ｄ側へ移動する。そうすると、筒体８２ａの一方８２ｃ側に空間８２ｆが形成される。ロック部材８３ａはバネ８３ｄで凹部３０ｃ方向に付勢されるので、凸部８３ｃは凹部３０ｃへ嵌入する。
【００８２】
このことにより、排出手段３０の移動はロックされる。即ち、排出ボタン３０ａを押下しても排出手段３０は移動しない。従って、センサ２３は穿刺部２４から排出されることはなく、センサ２３に付着された血液１２で筐体２２を汚すことはない。
図１５（ｂ）は、血液検査装置８１の中間姿勢における断面図である。即ち、血液検査装置８１の穿刺部２４を上方から下方に向けて動かしている途中の場合を示している。この場合、錘８２ｂは重力に従い、筒体８２ａの一方８２ｃ側、或いは他方８２ｄ側となる。
【００８３】
錘８２ｂが筒体８２ａの一方８２ｃ側に移動すれば、凸部８３ｃは錘８２ｂで凹部３０ｃと反対方向へ移動し、凸部８３ｃは凹部３０ｃから離脱する。即ち、排出手段３０によるロックは解除される。
【００８４】
一方、錘８２ｂが筒体８２ａの他方８２ｄ側に移動すれば、バネ８３ｄに付勢されて、凸部８３ｃは凹部３０ｃへ進入する。即ち、排出手段３０によるロックされる。
図１５（ｃ）は、血液検査装置８１のロック解除時の姿勢における断面図である。これは、血液検査装置８１の穿刺部２４を下方に向けた場合である。この場合、錘８２ｂは重力により、筒体８２ａ内の一方８２ｃ側へ移動する。錘８２ｂの移動により、ロック部材８３ａの他方８３ｅは、移動した錘８２ｂで押し出される。即ち、ロック部材８３ａはバネ８３ｄの力に抗して回動し、凸部８３ｃは凹部３０ｃから完全に離脱する。
【００８５】
このことにより、排出手段３０のロックは解除され排出手段３０の移動は自由となる。即ち、この状態において排出ボタン３０ａを押下すると、排出手段３０は下方に移動して、押し出し部３０ｂでセンサ２３を穿刺部２４から押し出して排出することができる。穿刺部２４は筐体２２の下方に位置した姿勢であるので、センサ２３は筐体２２に触れることなく排出される。即ち、センサ２３に付着された血液１２で筐体２２を汚すことはない。
【００８６】
（実施の形態３）
図１６は、実施の形態３における血液検査装置９１（実施の形態１における血液検査装置２１に該当）に用いる姿勢検知部９２（実施の形態１における姿勢検知部３１に該当）と判別部９３（実施の形態１における判別部２８ｍに該当）の動作原理を説明する斜視図である。
【００８７】
本実施の形態における姿勢検知部９２には、振り子９２ａを用いており、判別部９３は、振り子９２ａの重力に従って振れる振り子９２ａの振れ角度を直接機構的に判別する点で実施の形態１と相違する。判別部９３の出力はセンサ９４で検知され血液検査装置９１の電気回路部９５（実施の形態１における電気回路部２８に該当）内の制御部２８ｊへ入力されている。
【００８８】
本実施の形態における姿勢検知部９２と判別部９３とは全て機構的に形成されているので、省電力化を図ることができるとともに、簡単な構成で実現することができる。また、本実施の形態における判別部９３は、精密な姿勢角度検知ができる特徴も有している。
【００８９】
図１６において、９６は血液検査装置９１の筐体２２の上方と下方（図１参照）を連結する筐体２２の一つの面である。この面９６に支軸９２ｂが立設されており、この支軸９２ｂに振り子９２ａが（図１６において水平方向）回動自在に設けられている。振り子９２ａと支軸９２ｂとで姿勢検知部９２を構成している。
【００９０】
次に、判別部９３について説明する。９３ｂは面９６に立設されたもう一つの支軸であり、この支軸９３ｂには、検知レバー９３ａが回動自在に装着されている。検知レバー９３ａの一方の端には、検知部９３ｃが設けられており、この検知部９３ｃはバネ９３ｄで面９６から遠ざかる方向（図１６において垂直方向）に付勢されている。
【００９１】
検知レバー９３ａの他方の端には導体で形成された凸部９４ａが形成されている。また面９６上には、導体で形成された凹部９４ｂを有する部材９４ｃが装着されており、凸部９４ａは凹部９４ｂへ嵌入可能に配置されている。この凸部９４ａと凹部９４ｂとが導通、或いは非導通となることにより機構的なセンサ９４を構成している。なお、このセンサ９４として、発光ダイオードと受光トランジスタとで構成された光学センサを用いることもできる。
【００９２】
以上のように構成された姿勢検知部９２において、水平面に対して面９６の姿勢の変化により、振り子９２ａが検知部９３ｃに当接する。そして、検知レバー９３ａの一方をバネ９３ｄの力に抗して押し下げる。この検知レバー９３ａの押し下げにより他方の端に設けられた凸部９４ａは、凹部９４ｂから離間する。即ち、センサ９４はオフとなる。
【００９３】
また、水平面に対して面９６の姿勢の変化により、振り子９２ａが検知部９３ｃから離間すると、バネ９３ｄの力で検知レバー９３ａは押し上げられ、凸部９４ａは凹部９４ｂに当接する。即ち、センサ９４はオンとなる。
【００９４】
このようにして、血液検査装置９１の姿勢角度に応じてセンサ９４はオン・オフを行う。このオン・オフの信号を制御部２８ｊへ入力させて、ロック部３２を制御する。本実施の形態における姿勢検知部９２は、振り子９２ａが検知部９３ｃに当接したときのみセンサ９４がオンとなるので、簡潔な構成で精密な傾き角度検出をすることができる。
【００９５】
図１７（ａ）は、検知センサ９４がオン状態となる姿勢検知部９２と判別部９３の平面図である。姿勢検知部９２を構成する振り子９２ａと検知部９３ｃとは、離間しておりバネ９３ｄの力により検知レバー９３ａの一方が持ち上げられる。即ち、センサ９４を構成する凸部９４ａと凹部９４ｂは当接し、センサ９４はオン状態にある。図１７（ｂ）はその斜視図である。
【００９６】
図１８（ａ）は、検知センサ９４がオフ状態となる姿勢検知部９２と判別部９３の平面図である。姿勢検知部９２を構成する振り子９２ａと検知部９３ｃとは当接しており、センサ９４を構成する凸部９４ａと凹部９４ｂは離間している。即ち、センサ９４はオフ状態にある。図１８（ｂ）はその斜視図である。
【００９７】
（実施の形態４）
図１９は、実施の形態４における血液検査装置１０１（図２０参照）を構成する姿勢検知部とその近傍の断面図である。図１９（ａ）は、センサ２３を排出する排出手段のロックが解除されている状態であり、図１９（ｂ）は排出手段がロックされている状態である。以下、各状態における構成と動作を説明する。
【００９８】
図１９（ａ）において、１０２は、姿勢検知部（実施の形態１のおける姿勢検知部３１に該当）であり、この姿勢検知部１０２は、筒体１０２ａと、この筒体１０２ａ内を重力に従って摺動自在に摺動する錘１０２ｂとで構成されている。筒体１０２ａには、錘１０２ｂの位置を検知する検知センサ１０３（実施の形態１における判別部２８ｍに該当）が設けられている。この検知センサ１０３は非接触センサであり、本実施の形態では発光ダイオードと受光トランジスタとで構成された光学センサを用いている。
【００９９】
１０４は、押ボタンであり、この押ボタン１０４には鍔１０４ａが設けられている。この鍔１０４ａはバネ１０４ｂで矢印１０５ａ方向（筐体２２の内側方向）へ付勢されている。押ボタン１０４の一方１０４ｃ側は筐体２２の外側へ突出可能に設けられるとともに、他方１０４ｄ側には傾斜部１０４ｅとストッパ部１０４ｆが設けられている。傾斜部１０４ｅは錘１０２ｂと当接可能の位置にある。
【０１００】
１０６ａは、排出手段１０６（実施の形態１における排出手段３０に該当）へ連結された連結部材であり、マグネットで構成されたロック部１０７（実施の形態１におけるロック部３２に該当）により制御される。連結部材１０６ａの一方１０６ｂは、鍔１０４ａへ当接可能に設けられている。ロック部１０７は、検知センサ１０３の出力で制御される。
【０１０１】
錘１０２ｂと傾斜部１０４ｅとは以下の関係にある。即ち、血液検査装置１０１（図２０参照）を形成する穿刺部２４が下方となる姿勢（センサ２３の排出許可状態）にあるとき、錘１０２ｂは重力で矢印１０５ｂ方向へ下がる（移動する）。錘１０２ｂが矢印１０５ｂ方向へ下がると。錘１０２ｂが傾斜部１０４ｅ上を滑動し、この傾斜部１０４ｅにより押されて押ボタン１０４は矢印１０５ｃ方向へ移動する。即ち、押ボタン１０４の一方１０４ｃは筐体２２から突出し押圧可能な状態になる。
【０１０２】
この状態になると、検知センサ１０３は筒体１０２ａ内の空間１０２ｅを検知し、この検知出力により、ロック部１０７で連結部材１０６ａの一方１０６ｂを鍔１０４ａに当接させる。
【０１０３】
図１９（ａ）は、センサ２３の排出許可状態である。この状態において、押ボタン１０４の一方１０４ｃを押圧すると、押ボタン１０４は矢印１０５ａ方向へ押し込まれる。押ボタン１０４が押し込まれると、鍔１０４ａで連結部材１０６ａを矢印１０５ａ方向に押し出す。そして、センサ２３を穿刺部２４（図２０参照）から外部へ排出する。このとき、傾斜部１０４ｅの移動により、錘１０２ｂは矢印１０５ｄ方向へ持ち上げられる。そして傾斜部１０４ｅは、筒体１０２ａの一方１０２ｃ側に形成された隙間に侵入する。
【０１０４】
次に、血液検査装置１０１を形成する穿刺部２４が上方となる姿勢（センサ２３の排出禁止状態）になったときについて説明する。この場合、図１９（ｂ）に示すように、姿勢検知部１０２を構成する錘１０２ｂは筒体１０２ａの他方１０２ｄ側へ移動する。筒体１０２ａに装着された検知センサ１０３は錘１０２ｂを検知して、この検知出力によりロック部１０７で、連結部材１０６ａを矢印１０５ｅ方向に移動させる。この連結部材１０６ａの移動により、連結部材１０６ａの一方１０６ｂは鍔１０４ａから離間する。
【０１０５】
錘１０２ｂは筒体１０２ａの他方１０２ｄ側へ移動しているので、筒体１０２ａの一方１０２ｃ側には空間１０２ｆが生ずる。そうすると、押ボタン１０４は、バネ１０４ｂに付勢されて矢印１０５ａ方向へ移動する。この状態において、押ボタン１０４の一方１０４ｃ側は筐体２２の面位置か、或いはそれより奥へバネ１０４ｂの力により移動する。そして、ストッパ部１０４ｆが筒体１０２ａに当接してそれ以上の移動が禁止される。この禁止された状態において、押しボタン１０４の一方１０４ｃ側は、筐体２２の面位置か、或いはそれより陥没するので、筐体２２の外部から押圧することはできない。この状態において、鍔１０４ａによる押圧力は、連結部材１０６ａに伝達されないとともに、押ボタン１０４も機構的に押圧することはできないので、センサ２３の排出は二重に禁止されることになる。
【０１０６】
以上説明したように、血液検査装置１０１の穿刺部２４が下方にあるときには、錘１０２ｂが筒体１０２ａの一方１０２ｃ側に移動し、押ボタン１０４が筐体２２から突出するので、押ボタン１０４を押圧して、センサ２３を排出させることができる。このとき、押ボタン１０４の突出を目視することにより、センサ２３の排出許可の直接的な表示となる。また、検知センサ１０３の出力で表示部３３にセンサ２３の排出が許可されている旨の表示をすることもできる。
【０１０７】
また、血液検査装置１０１の穿刺部２４が上方にあるときには、錘１０２ｂが筒体１０２ａの他方１０２ｄ側に移動し、押ボタン１０４が筐体２２の面位置か、或いはそれより陥没した位置となるので、押ボタン１０４を機構的に押圧することはできず、センサ２３を排出させることはできない。このとき、押ボタン１０４の陥没を目視することにより、センサ２３の排出禁止を知ることができる。また、検知センサ１０３の出力で表示部３３にセンサ２３の排出禁止の旨の表示をすることもできる。
【０１０８】
図２０は、血液検査装置１０１の断面図である。図２０を用いて排出手段１０６を中心に説明する。連結部材１０６ａの他方１０６ｃは、センサ２３を押し出す押し出し部材１０６ｄに連結している。この押し出し部材１０６ｄの一方は、バネ１０６ｅで矢印１０５ｆ（上方）へ付勢されている。また、押し出し部材１０６ｄの他方は傾斜をしており、この傾斜でセンサ２３を穿刺部２４から排出させるものである。
【０１０９】
姿勢検知部１０２に装着された検知センサ１０３の出力は、電気回路部１０８（実施の形態１における電気回路部２８に該当）の制御部２８ｊに接続されている。また、ロック部１０７は制御部２８ｊの出力に接続されている。また、姿勢検知部１０２は、筐体２２の下辺２２ａに対して垂直に装着されるとともに、押ボタン１０４は筐体２２の側面に装着されている。
【産業上の利用可能性】
【０１１０】
本発明にかかる血液検査装置は、血液センサの排出時において血液で筐体を汚すことはないので、血液検査装置として有用である。
【図面の簡単な説明】
【０１１１】
【図１】本発明の実施の形態１における血液検査装置の断面図
【図２】同外観斜視図
【図３】同排出手段の要部斜視図、（ａ）は同第１の状態における要部斜視図、（ｂ）は同第２の状態における要部斜視図
【図４】同穿刺部とその近傍の断面図
【図５】同要部ブロック図
【図６】同姿勢検知部の状態側面図、（ａ）は同第１の状態側面図、（ｂ）は同第２の状態側面図、（ｃ）は同第３の状態側面図、（ｄ）は同第４の状態側面図、（ｅ）は同第５の状態側面図
【図７】同センサの断面図
【図８】同センサの透視平面図
【図９】同センサの斜視図
【図１０】同レーザ穿刺ユニットの断面図
【図１１】同電気回路部とその周辺のブロック図
【図１２】同動作フローチャート
【図１３】同実施の形態２における血液検査装置の断面図
【図１４】同ロック部の平面図
【図１５】同血液検査装置の各姿勢状態の断面図、（ａ）は同ロック時の姿勢状態の断面図、（ｂ）は同中間時の姿勢状態の断面図、（ｃ）は同ロック解除時の姿勢状態の断面図
【図１６】同実施の形態３における動作原理を示す斜視図
【図１７】同検知センサオン時の状態図、（ａ）は同平面図、（ｂ）は同斜視図
【図１８】同検知センサオフ時の状態図、（ａ）は同平面図、（ｂ）は同斜視図
【図１９】同実施の形態４における姿勢検知部とその近傍の要部断面図、（ａ）は同ロック解除状態の断面図、（ｂ）は同ロック状態の断面図
【図２０】同血液検査装置の断面図
【図２１】従来の血液検査装置の第１の状態における断面図
【図２２】同第２の状態における断面図
【図２３】同第３の状態における正面図
【符号の説明】
【０１１２】
２１    血液検査装置
２２    筐体
２３    センサ
２４    穿刺部
２４ｃ    コネクタ
２５    レーザ穿刺ユニット
２８    電気回路部
３０    排出手段
３１    姿勢検知手段
３３    表示部
【図１】
2010063576.tif 000003
【図２】
2010063576.tif 000004
【図３】
2010063576.tif 000005
【図４】
2010063576.tif 000006
【図５】
2010063576.tif 000007
【図６】
2010063576.tif 000008
【図７】
2010063576.tif 000009
【図８】
2010063576.tif 000010
【図９】
2010063576.tif 000011
【図１０】
2010063576.tif 000012
【図１１】
2010063576.tif 000013
【図１２】
2010063576.tif 000014
【図１３】
2010063576.tif 000015
【図１４】
2010063576.tif 000016
【図１５】
2010063576.tif 000017
【図１６】
2010063576.tif 000018
【図１７】
2010063576.tif 000019
【図１８】
2010063576.tif 000020
【図１９】
2010063576.tif 000021
【図２０】
2010063576.tif 000022
【図２１】
2010063576.tif 000023
【図２２】
2010063576.tif 000024
【図２３】
2010063576.tif 000025